(57)【要約】【課題】導光板とエッジライトによる発光版で、両面を発光させるとき、片面発光板を背中合わせにするか、両面発光専用の導光板とエッジライト使用する場合がある。使用する材料費がほぼ2倍になり、その分コストが大幅に上昇する。【解決手段】通常の導光板の光転換部面へ透明板を配置して固定する。エッジライトの光が光転換部で転換されるとき、光は四方に分散する。導光板の表面と裏面に光拡散板を設けると、両面発光板が実現できる。この場合導光板は1枚であり、エッジライトも1枚用を使用する。使用する材料は1枚用に透明板を付けただけであり最小の材料費で低コストの両面発光板が実現する。【選択図】図４
2012234765.tif 000002
【特許請求の範囲】
【請求項１】
LEDエッジライトと導光板の組み合わせによる発光板で、1枚の導光板の光転換部から放射される光により発光板の表面と裏面を同時に発光させる事を可能としたLED両面発光表示板。
【請求項２】
1枚の導光版と1本のLEDエッジライトによる両面発光表示版で、導光版に設けられた光転換部を透明板で挟み、外部の圧力や接触による光転換のムラを抑え、安定した発光を可能とした前記１記載のLED両面発光表示板。
【請求項３】
発光板表面の光拡散板と光転換部との距離と、光転換部から裏面の光拡散板までの距離をほぼ近似値に近づけるよう透明板を設けて、表面・裏面の照度差を小さくした前記1記載のLED両面発光表示板。
【発明の詳細な説明】
【技術分野】
【０００１】
LEDの技術発展により、強い光が発生するようになる。更に、その光の量を活用して導光版の光転換部から方向転換させて広い面発光が実現できるようになった。本発明はLEDエッジライトの製造技術と光転換部の転換効率向上と、その光を両面に受ける光拡散板の設置構造の組み合わせにより実現した。
【背景技術】
【０００２】
本発明は、LEDエッジライトと導光版による発光板で、LEDの発光効率の向上で、小さな光源で高い光量を発生させることが可能となり、導光版の狭い側面から光を入れて、広い面を発光させることが可能となる。この事で大型表示板が製作可能となり、大きく明るい表示板が少ない消費電力で実現できるようになった。
【０００３】
エッジライトによる両面発光は、従来図２で示すように、片面発光を背中合わせして使用していた、又は図３に示すように両面発光専用を使用していた。更に軽く低コストを目指して試作・実験を重ねた結果、本発明の1枚の導光版と1本のエッジライトで両面発光板を実現した。
【０００４】
LEDエッジライトによる自発光表示板は、従来の蛍光灯による内照看板比べ消費電力は大幅に削減されている。更に、両面専用導光版対比使用電力３５％削減の、最も使用電力の少ない構造が実現した。
【先行技術文献】
【特許文献】
【０００５】
【特許文献１】特開２０１０−１４７１９０
【特許文献２】特開２００９−２８９５０６
【特許文献３】特開２００８−１６６１２０
【特許文献４】特開２００５−０５０６３０
【発明の概要】
【発明が解決しようとする課題】
【０００６】
導光板とエッジライトによる発光版で、両面を発光させるとき、図２に示す通り、片面発光板を背中合わせに固定して発光させる方法がある。この場合重量が2倍になり厚さも倍加する。
【０００７】
図３に示す通り、両面発光専用の導光板とエッジライトがある。それは導光板2枚と反射シート1枚、専用エッジライト1本の組み合わせて１体化させ両面発光板を実現できるが、使用する材料費が多くなり、その分コストが上昇する。
【０００８】
両面発光の導光板と専用エッジライトがあるが、そのエッジライトはLEDが2列に配置されており、LEDの数も1.5倍〜2倍となり、その数に比例して消費電力が多くなる。折角消費電力を削減するLEDエッジライトであるが、省エネルギーの目的に逆行する。
【課題を解決するための手段】
【０００９】
通常の導光板の光転換部面へ透明板を配置して固定する。エッジライトの光が光転換部で転換されるとき、光は四方に分散する。導光板の表面と裏面に光拡散板を設けると、両面発光板が実現できる。この場合導光板は1枚であり、エッジライトも1枚用を使用する。使用する材料は1枚用に透明板を付けただけであり最小の材料費アップで完成する。
従って図―４に示す通り、本発明による薄型で軽量の両面発光板が実現できる。
【００１０】
導光板1枚と1枚用エッジライトの組み合わせによる両面発光版は、導光板2枚による両面発光版に比べ使用する材料費が大幅に軽減される。
表面照度は表―１に示す通り、約２９％の照度低下になるものの、そのコストは約５０％低減できる。今後LEDの性能向上で明るさは徐々に向上できるのでそのコストが重要である。また、実際の市場では最適の明るさ以上の照度を出す必要はないので、本発明による製作コストの軽減は非常に有効である。
【００１１】
導光板1枚と1本のエッジライトによる両面発光板は、消費電力削減に威力を発揮する。従来の両面発光板に比べ大幅に消費電力の削減となる。表―２に示す通り、片面発光板2枚組に比べ約５０％の消費電力の削減であり、両面発光専用に比べ約２８％の削減となる。この消費電力削減は社会ニーズに合致しており、重要な要素である。
【００１２】
導光板1枚と透明板1枚の組み合わせは、光転換部を両面から挟む形になり、外部からの影響を受けにくい堅牢な構造となる。使用する用途によっては乱雑な取扱いが予想されるが、光転換部の破損や脱落の危険は少ない。丁度、透明板の中央部に光転換部が配置され、透明板の中から両面に光が発射される。このため、その両側に必要な表示物を置くだけで両面表示が出来る。
【００１３】
下記の表は片面発光板と両面専用初光板及び1枚両面発光板のA面を測定したもので、発光条件は次の通りである。
電圧；２４V
導光板；５ｍｍ
導光板サイズ；３００ｍｍｘ３００ｍｍ
LED;；日亜化学工業製NSSW123T
【表１】
2012234765.tif 000003
【表２】
2012234765.tif 000004
【発明の効果】
【００１４】
本発明の効果は、使用エネルギーの削減と製作コスト削減に寄与するものである、特に、使用エネルギー削減は社会ニーズに合致しており、本発明の普及は省エネルギーに貢献するものと思われる。
【図面の簡単な説明】
【００１５】
【図１】図１は表面発光板の表面と裏面
【図２】図２は片面発光板を背中合わせにした両面発光板
【図３】図３は、両面専用発光板
【図４】図４は、1枚の導光版で両面発光させる構造図
【図５】図５は、1枚の導光版で両面発光させる構造の拡大図。
【発明を実施するための形態】
【００１６】
両面発光表示板の実施は、両面の光拡散板が均一に発光するため、その表面に光透過性のあるフイルム類を取り付けて表示する。光透過性フイルムは、カラーフイルムやシルク印刷したフイルム又はインクジェット印刷フイルム等がある。光透過性のあるフイルムの裏面から光を当てることで、視認性や意匠性のある表示面が実現する。
【００１７】
導光板に設ける光転換部は、通常ドット印刷して光転換する。ドット印刷に代わりデジタル切削やレーザー切削を施して光転換することもある。ドットの形状は光源に近い所は小径で、光源から離れるに従い大径となり、光転換効率を変化させて、発光面が均一になるように調整する。
【実施例１】
【００１８】
図１は、両面発光板の表面状態を表している、A面（表）の表示とB面（裏）の表示は全く違った内容が表示が出来る。その照度はほぼ同じであり、1枚の発行板で両面の表示ができる。
【００１９】
図４は、1枚の導光版で両面発光させる構造の断面図である。導光版の片面に設けられた光転換部から発光された光は導光版の表面と裏面へほぼ同じ量の光が発射される。その光を表面の光拡散板と裏面の光拡散板で分散させ均一な光の面を作り出す。均一な光の面の表面に表示物を取り付けて両面表示板とする。
【００２０】
図５は、LED光と導光坂内を進む光と光転換部から両面へ分散される光の方向を示す拡大図である。導光坂内を進んできた光は光転換部で両面へ分散される、その先に設けられた光拡散板で光分散して均一な光の面を作る。
【００２１】
図２は、片面発光板を背中合わせにして両面発行させる装置である、使用部材も片面の2倍必要で、LEDエッジライトも2倍必要である。図３は、両面発光専用に考案された発光板構造である。図２に比べ少し簡素化されているが、導光版2枚とLEDエッジライト2列が必要である。本発明は図４に示す通り、導光版1枚とLEDエッジライト1列で構成され、使用部材も少なく製作コストを大幅に削減する。
【産業上の利用可能性】
【００２２】
1枚の導光版による両面発光板は、消費電力が非常に少ない、その為長時間点灯する照明具や光源に適している。例えば建物内の非常出口の常備灯や高速道路の非常誘導灯、トンネル内の誘導灯など多岐にわたる。LEDを使用しており更に1列エッジライトのため消費電力は少なく故障率も低い、又メンテナンスも簡単である。
【符号の説明】
【００２３】
１    LED
２    導光版
３    透明板
４    光拡散板
５    光転換部
６    プリント基板
７    金属フレーム
８    反射シート
１０  導光版内を進む光
１１  光転換部で方向転換した光
１２  光拡散板から外部へ向かう光
【図１】
2012234765.tif 000005
【図２】
2012234765.tif 000006
【図３】
2012234765.tif 000007
【図４】
2012234765.tif 000008
【図５】
2012234765.tif 000009